(57)【要約】【課題】  アンテナ資源を有効に活用して信頼性の高い通信を行うことができる通信装置及びその制御方法を提供すること。【解決手段】  複数のアンテナ１２−１〜１２−８と、複数の無線通信部１６−１，１６−２と、前記各無線通信部１６−１，１６−２に接続する前記アンテナ１２の数を決定する制御部２６と、前記制御部２６による決定に基づいて、前記各アンテナ１２−１〜１２−８を前記複数の無線通信部１６−１，１６−２のいずれかに接続するアンテナ切替部１４と、を含む。【選択図】        図１
2006054710.tif 000002
【特許請求の範囲】
【請求項１】
複数のアンテナと、
複数の無線通信部と、
前記各無線通信部に接続する前記アンテナの数を決定する制御部と、
前記制御部による決定に基づいて、前記各アンテナを前記複数の無線通信部のいずれかに接続するアンテナ切替部と、
を含むことを特徴とする通信装置。
【請求項２】
請求項１に記載の通信装置において、
前記複数の無線通信部は、それぞれ異なる周波数により通信を行う、
ことを特徴とする通信装置。
【請求項３】
請求項１又は２に記載の通信装置において、
前記複数の無線通信部は、それぞれ、該無線通信部に接続された前記アンテナを用いて空間ダイバーシチ又はアダプティブアレイ方式による通信を行う、
ことを特徴とする通信装置。
【請求項４】
請求項１乃至３のいずれかに記載の通信装置において、
前記制御部は、前記各無線通信部の通信相手の数に基づいて、前記各無線通信部に接続する前記アンテナの数を決定する、
ことを特徴とする通信装置。
【請求項５】
請求項１乃至４のいずれかに記載の通信装置において、
前記制御部は、前記各無線通信部の通信の信号対ノイズ比に基づいて、前記各無線通信部に接続する前記アンテナの数を決定する、
ことを特徴とする通信装置。
【請求項６】
請求項５に記載の通信装置において、
前記制御部は、前記各無線通信部の通信の信号対ノイズ比の差に基づいて、前記各無線通信部に接続する前記アンテナの数を決定する、
ことを特徴とする通信装置。
【請求項７】
請求項１乃至４のいずれかに記載の通信装置において、
前記制御部は、前記各無線通信部の通信の通信レートの差に基づいて、前記各無線通信部に接続する前記アンテナの数を決定する、
ことを特徴とする通信装置。
【請求項８】
請求項１乃至７のいずれかに記載の通信装置において、
前記制御部は、前記各無線通信部の通信レート及び信号対ノイズ比に基づいて所要アンテナ数を判断し、判断結果に応じて前記各無線通信部に接続する前記アンテナの数を決定する、
ことを特徴とする通信装置。
【請求項９】
請求項８に記載の通信装置において、
前記制御部は、
前記各無線通信部の現在の信号対ノイズ比及び前記各無線通信部に現在接続されているアンテナの数に基づいて、前記各無線通信部のアンテナの数を所与の数に変更した後の信号対ノイズ比を予測する手段と、を含み、
予測結果に基づいて前記所要アンテナ数を判断することを特徴とする通信装置。
【請求項１０】
請求項９に記載の通信装置において、
前記制御部は、前記各無線通信部の通信レートに基づいて所要の信号対ノイズ比を決定する手段をさらに含む、
ことを特徴とする通信装置。
【請求項１１】
請求項１乃至１０のいずれかに記載の通信装置において、
前記制御部は、前記各無線通信部の信号対ノイズ比と所要の信号対ノイズ比との比較に応じて、前記各無線通信部の通信レートを変更する、
ことを特徴とする通信装置。
【請求項１２】
複数のアンテナと、
複数の無線通信部と、を含む通信装置の制御方法であって、
前記各無線通信部に接続する前記アンテナの数を制御部によって決定し、該決定に基づいて、前記各アンテナを前記複数の無線通信部のいずれかに接続する、
ことを特徴とする通信装置の制御方法。
【発明の詳細な説明】
【技術分野】
【０００１】
本発明は通信装置及びその制御方法に関し、特に複数の無線通信部及び複数のアンテナを備えた通信装置及びその制御方法に関する。
【背景技術】
【０００２】
図８は、従来技術に係るＰＨＳ（Personal Handyphone System）の基地局の構成を示している。同図に示すように、従来構成では、複数の無線通信部１０６−１，１０６−２を備えており、各無線通信部１０６−１，１０６−２には４本のアンテナが接続されている。各無線通信部１０６は、送信部１００、受信部１０４及びＰＬＬ回路１０２を備えており、各無線通信部１０６の送信部１００により送信されるデータは、インターフェース部１１０を介して外部からベースバンド処理部１０８により取得されるようになっている。また、各無線通信部１０６の受信部１０４により受信されるデータは、ベースバンド処理部１０８に供給され、インターフェース部１１０を介して外部に供給されるようになっている。また、制御部１１２は、記憶装置１１４を作業用として用いながら、ベースバンド処理部１０８及び各無線通信部１０６を制御するようになっている。
【特許文献１】特開２００３−１３４０１８号公報
【発明の開示】
【発明が解決しようとする課題】
【０００３】
一般に、アンテナ数が多いほど各無線通信部１０６は信頼性の高い通信を行うことができる。他方、無線通信部１０６の通信状況によっては、該無線通信部１０６で４本のアンテナの全てを使用しなくても十分な信頼性の通信を行うことができる場合がある。このため、そのような場合には、一方の無線通信部１０６に接続されたアンテナのうち一部又は全部を他方の無線通信部１０６に接続することにより、該他方の無線通信部１０６において、より信頼性の高い通信を行うようにしてよい。ところが、従来構成では各無線通信部１０６に接続されるアンテナの数が固定されているため、そうした柔軟なアンテナの利用ができないという問題があった。
【０００４】
本発明は上記課題に鑑みてなされたものであって、その目的は、アンテナ資源を有効に活用して信頼性の高い通信を行うことができる通信装置及びその制御方法を提供することにある。
【課題を解決するための手段】
【０００５】
上記課題を解決するために、本発明に係る通信装置は、複数のアンテナと、複数の無線通信部と、前記各無線通信部に接続する前記アンテナの数を決定する制御部と、前記制御部による決定に基づいて、前記各アンテナを前記複数の無線通信部のいずれかに接続するアンテナ切替部と、を含むことを特徴とする。
【０００６】
本発明によれば、アンテナ切替部を備え、制御部による決定に基づいて、各アンテナを複数の無線通信部のいずれかに接続するようにしたので、アンテナ資源を有効に活用することができ、それにより全体として信頼性の高い通信を行うことができる。
【０００７】
また、前記複数の無線通信部は、それぞれ異なる周波数により通信を行うようにすれば好適である。また、前記複数の無線通信部は、それぞれ、該無線通信部に接続された前記アンテナを用いて空間ダイバーシチ又はアダプティブアレイ方式による通信を行ってもよい。こうすれば、各無線通信部において、アンテナ数に応じた高い信頼性の通信を行うことができる。
【０００８】
また、前記制御部は、前記各無線通信部の通信相手の数に基づいて、前記各無線通信部に接続する前記アンテナの数を決定するようにしてもよい。こうすれば、無線通信部の通信相手の数が少ない場合に、該無線通信部に無駄にアンテナ数を割り当てずに済む。また、通信相手１つに対し多くのアンテナを割り当てることができるようになり、品質の高い通信を行うことができる。
【０００９】
また、前記各無線通信部は、それぞれ時分割多重方式により通信を行うとともに、前記各無線通信部のタイムスロットは同期され、前記制御部は、前記各無線通信部のタイムスロットの信号対ノイズ比（Ｓ／Ｎ比）に基づいて、前記各無線通信部に接続する前記アンテナの数を決定するようにしてもよい。この場合、各無線通信部は少なくとも受信部を含むようにすることが望ましい。こうすれば、信号対ノイズ比、すなわち現在行っている通信の安定性・困難性に応じてアンテナ数を決定することができる。この場合、前記制御部は、前記各無線通信部のタイムスロット毎の信号対ノイズ比の差に基づいて、前記各無線通信部に接続する前記アンテナの数を決定するようにしてもよい。
【００１０】
また、前記各無線通信部は、それぞれ時分割多重方式により通信を行うとともに、前記各無線通信部のタイムスロットは同期され、前記制御部は、前記各無線通信部のタイムスロットの通信レートの差に基づいて、前記各無線通信部に接続する前記アンテナの数を決定するようにしてもよい。こうすれば、各通信レートを実現するために必要な、或いは望ましい信頼性の通信を、各無線通信部において実現させることができるようになる。
【００１１】
また、前記制御部は、前記各無線通信部の通信レート及び信号対ノイズ比に基づいて所要アンテナ数を判断し、判断結果に応じて前記各無線通信部に接続する前記アンテナの数を決定するようにしてもよい。こうすれば、例えば所要アンテナ数（必要な最低限のアンテナ数をいう。）を下回らないように、各無線通信部に接続するアンテナの数を決定することができる。
【００１２】
この場合、前記制御部は、前記各無線通信部の現在の信号対ノイズ比及び前記各無線通信部に現在接続されているアンテナの数に基づいて、前記各無線通信部のアンテナの数を所与の数に変更した後の信号対ノイズ比を予測する手段と、を含み、予測結果に基づいて前記所要アンテナ数を判断するようにしてもよい。このとき、予測される信号対ノイズ比と所要信号対ノイズ比（必要な最低限の信号対ノイズ比）との比較に応じて、前記各無線通信部のアンテナの数を前記所与の数に変更することを制限するようにしてもよい。
【００１３】
この場合、前記制御部は、前記各無線通信部の通信レートに基づいて前記所要信号対ノイズ比を決定する手段をさらに含むようにしてもよい。当該通信レートを実現するために必要な最低限の信号対ノイズ比を可及的に確保することができるようになる。
【００１４】
また、前記制御部は、前記各無線通信部の信号対ノイズ比と所要信号対ノイズ比との比較に応じて、前記各無線通信部の通信レートを変更するようにしてもよい。こうすれば、万一信号対ノイズ比が所要信号対ノイズ比を下回った場合に、必要な通信の信頼性を確保することができる。
【００１５】
また、本発明に係る通信装置の制御方法は、複数のアンテナと、複数の無線通信部と、を含む通信装置の制御方法であって、前記各無線通信部に接続する前記アンテナの数を制御部によって決定し、該決定に基づいて、前記各アンテナを前記複数の無線通信部のいずれかに接続する、ことを特徴とする。こうすれば、アンテナ資源を有効に活用することができ、それにより全体として信頼性の高い通信を行うことができる。
【発明を実施するための最良の形態】
【００１６】
以下、本発明の実施形態について図面に基づき詳細に説明する。
【００１７】
図１は、本発明の実施形態に係る通信装置の構成を示す図である。同図に示す通信装置１０は、アンテナ１２−１〜１２−８、無線通信部１６−１，１６−２、アンテナ切替部１４、ベースバンド処理部２４、制御部２６、記憶装置２８、インターフェース部３０を含んで構成されている。また、各無線通信部１６は、送信部１８、ＰＬＬ回路２０及び受信部２２を含んで構成されている。
【００１８】
８本のアンテナ１２−１〜１２−８は、全てアンテナ切替部１４に接続されており、またアンテナ切替部１４には無線通信部１６−１，１６−２も接続されている。そして、アンテナ切替部１４は、制御部２６から入力されるアンテナ切替信号に従って、アンテナ１２−１〜１２−８の一部を無線通信部１６−１に接続し、残りを無線通信部１６−２に接続するようになっている。上記アンテナ切替信号は、例えば無線通信部１６−１に接続すべきアンテナの本数を表す信号等、どの無線通信部１６に何本のアンテナ１２を接続すべきかを特定する信号である。
【００１９】
通信装置１０は、ＰＨＳの基地局として構成されており、図示しない複数の無線端末を通信相手として、ＴＤＭＡ／ＴＤＤ（時分割多重／時分割複信）方式による通信を行うものである。また、通信装置１０は、通信レート（情報伝送速度）の異なる複数の多値変調方式（ＢＰＳＫ，ＱＰＳＫ，８ＰＳＫ，１６ＱＡＭ，３２ＱＡＭ，６４ＱＡＭ）を、各タイムスロットにおいて選択的に適用して通信を行うことができるようになっている。さらに、１つの無線通信部１６に複数のアンテナ１２が接続される場合には、空間ダイバーシチ又はアダプティブアレイ方式を用いた通信を行う。各無線通信部１６は、送信部１８によりベースバンド処理部２４から供給されるベースバンド信号を、ＰＬＬ回路２０からの供給信号を用いて搬送波に変換し、それをアンテナ切替部１４により接続されたアンテナ１２により送信している。また、各無線通信部１６は、アンテナ切替部１４により接続されたアンテナ１２により受信される信号を、ＰＬＬ回路２０からの供給信号を用いてベースバンド信号に変換し、それをベースバンド処理部２４に供給している。
【００２０】
ベースバンド処理部２４はインターフェース部３０を介して網側と接続されており、網側と通信内容を授受するようになっている。また、ベースバンド処理部２４は、制御部２６からの指示に従って、各無線端末の呼を、いずれかの無線通信部１６のいずれかのタイムスロットに割り付けるようにしている。このとき、各無線通信部１６のタイムスロットは同期されるようになっており、無線通信部１６−１の各タイムスロットの始期及び終期は、無線通信部１６−２の各タイムスロットの始期及び終期と一致するようになっている。
【００２１】
制御部２６は、マイクロプロセッサを中心として構成されており、ＲＡＭ等を中心として構成された記憶装置２８を作業用として用いながら、通信装置１０の全体を制御するようになっている。特に、制御部２６ではベースバンド処理部２４から各無線通信部１６の各タイムスロットのＳ／Ｎ比を取得するようになっている。また、制御部２６では、各呼の通信レート（変調方式）を管理するようになっており、それらの情報を用いて各無線通信部１６の各タイムスロットにおいて、各無線通信部１６に何本のアンテナ１２を接続するべきかを決定するようになっている。そして、その決定に従ってアンテナ切替信号を生成し、それをタイムスロット毎にアンテナ切替部１４に供給するようになっている。
【００２２】
すなわち、各無線通信部１６では、各タイムスロットにおいて、制御部２６により割り当てられた呼の通信が行われており、その通信レートは制御部２６において管理され、ベースバンド処理部２４に指示されるようになっている。そして、各タイムスロットにおいて、各無線通信部１６で行っている通信のＳ／Ｎ比及び通信レートを取得し、それに応じてアンテナ切替信号を生成するようになっている。また、制御部２６は、各無線通信部１６に割り当てられた呼の数を管理しており、それに応じてアンテナ切替信号を生成するようになっている。
【００２３】
具体的には、いずれか一方の無線通信部１６に割り当てられた呼の数が零であれば、全てのアンテナ１２を、他方の無線通信部１６に割り当てるよう、アンテナ切替信号を生成するようになっている。こうして、割り当てられた呼の数が零である無線通信部１６に対しては、アンテナ１２が割り当てられないようにしている。
【００２４】
また、各タイムスロットにおいて、各無線通信部１６で行っている通信のＳ／Ｎ比の差が所定値よりも大きければ、Ｓ／Ｎ比が大きな通信を行っている無線通信部１６に接続されるアンテナ１２の本数を減らし、その分だけＳ／Ｎ比が小さな通信を行っている無線通信部１６に接続されるアンテナ１２の本数を増やすようにしている。このとき、Ｓ／Ｎ比の差の大きさに応じて、Ｓ／Ｎ比が大きな通信を行っている無線通信部１６のアンテナ１２の削減数、すなわちＳ／Ｎ比が小さな通信を行っている無線通信部１６のアンテナ１２の増加数を変えるようにしている。具体的には、Ｓ／Ｎ比の差が大きい程、削減数／増加数が大きくなるようにしている。
【００２５】
また、各タイムスロットにおいて、各無線通信部１６で行っている通信の通信レートの差に応じて、通信レートが高い通信を行っている無線通信部１６に接続されるアンテナ１２の本数を減らし、その分だけ通信レートが低い通信を行っている無線通信部１６に接続されるアンテナ１２の本数を増やすようにしている。このとき、通信レートの差の大きい程、アンテナ１２の削減数／増加数が大きくなるようにしている。
【００２６】
図２乃至図４は、タイムスロット毎に実行される各無線通信部１６に接続されるアンテナ１２の本数を決定する処理（アンテナ選択処理）を示すフロー図である。まず図２に示すように、制御部２６では、タイムスロット毎に、いずれかの無線通信部１６に割り当てられた呼の数が零でないかを調べる（Ｓ１０１）。そして、いずれかの無線通信部１６に割り当てられた呼の数が零であれば、割り当てられた呼の数が零である一方の無線通信部１６にアンテナ１２を１本も接続せず、８本のアンテナ１２全てを他方の無線通信部１６に接続するようアンテナ切替信号を生成し、それをアンテナ切替部１４に供給する（Ｓ１０４）。
【００２７】
一方、いずれの無線通信部１６にも１以上の呼が割り当てられていれば、図３及び図４に示すアンテナ切替判定処理を行う（Ｓ１０２）。この処理では、図３に示すように、まず２つの無線通信部１６の通信条件が同等となっているか否かを判断する（Ｓ２０１）。具体的には、各無線通信部１６に供給するベースバンド信号に適用される変調方式（通信レート）が同一であり、各無線通信部１６で行っている通信のＳ／Ｎ比の差が３ｄＢ以内であれば、２つの無線通信部１６の通信条件が同等であると判断する。そして、両者の通信条件が同一であれば、無線通信部１６−１と無線通信部１６−２のアンテナ本数を同数とするようアンテナ切替信号を生成し、それをアンテナ切替部１４に供給する（Ｓ２１３）。
【００２８】
Ｓ２０１において２つの無線通信部１６の通信条件が同等ではないと判断すると、次に２つの無線通信部１６で行っている通信のＳ／Ｎ比が同等であるか否かを判断する（Ｓ２０２）。具体的には、２つのＳ／Ｎ比の差が３ｄＢ以内である場合に、それらが同等であると判断する。Ｓ／Ｎ比の差が同等であると判断すると、次に２つの無線通信部１６で行っている通信の通信レートの差の大きさを判断する（Ｓ２０３）。具体的には、通信レートの差が８倍より大きけば、通信レートの差が大であると判断し、Ｓ２０４の処理に進む。また、差が８倍以下であり２倍より大きければ、通信レートの差が中であると判断し、Ｓ２０６の処理に進む。さらに、差が２倍以下であれば、通信レートの差が小であると判断し、Ｓ２０７の処理に進む。
【００２９】
Ｓ２０４の処理では、両無線通信部１６で行っている通信のＳ／Ｎ比が十分に高いか、具体的には後述する所要Ｓ／Ｎ比以上であるか否かを判断する。そして、十分に高いと判断される場合には、高い通信レートでの通信を行っている無線通信部１６に対して７本のアンテナ１２を接続し、低い通信レートでの通信を行っている無線通信部１６に対して１本のアンテナ１２を接続するようアンテナ切替信号を生成し、それをアンテナ切替部１４に供給する（Ｓ２０５）。一方、Ｓ／Ｎ比が十分に高くはないと判断すると、Ｓ２０６の処理に進む。
【００３０】
Ｓ２０６の処理では、高い通信レートでの通信を行っている無線通信部１６に対して６本のアンテナ１２を接続し、低い通信レートでの通信を行っている無線通信部１６に対して２本のアンテナ１２を接続するようアンテナ切替信号を生成し、それをアンテナ切替部１４に供給する。また、Ｓ２０７の処理では、高い通信レートでの通信を行っている無線通信部１６に対して５本のアンテナ１２を接続し、低い通信レートでの通信を行っている無線通信部１６に対して３本のアンテナ１２を接続するようアンテナ切替信号を生成し、それをアンテナ切替部１４に供給する。
【００３１】
Ｓ２０２において、Ｓ／Ｎ比が同等でないと判断すると、次に両無線通信部１６における通信レートが同等であるか否かを判断する（Ｓ２０９）。具体的には、通信レートが同一であれば、通信レートが同等であると判断する。
【００３２】
通信レートが同等であると判断すると、次にＳ／Ｎ比の差が大きいか否かを判断する（Ｓ２１０）。具体的には、Ｓ／Ｎ比の差が３ｄＢ以上であれば、Ｓ／Ｎ比の差が大であると判断する。そして、Ｓ／Ｎ比の差が大きければ、大きなＳ／Ｎ比にて通信を行っている無線通信部１６に対して６本のアンテナ１２を接続し、小さなＳ／Ｎ比にて通信を行っている無線通信部１６に対して２本のアンテナ１２を接続するようアンテナ切替信号を生成し、それをアンテナ切替部１４に供給する（Ｓ２１１）。また、Ｓ２１０においてＳ／Ｎ比の差が小さいと判断すると、大きなＳ／Ｎ比にて通信を行っている無線通信部１６に対して５本のアンテナ１２を接続し、小さなＳ／Ｎ比にて通信を行っている無線通信部１６に対して３本のアンテナ１２を接続するようアンテナ切替信号を生成し、それをアンテナ切替部１４に供給する（Ｓ２１２）。
【００３３】
Ｓ２０９において通信レートが同等でないと判断すると、次に、１）一方の無線通信部１６に係る通信レートが所定通信レートよりも低い、２）他方の無線通信部１６に係る通信レートが所定通信レートよりも高い、３）通信レートが低い方のＳ／Ｎ比が十分に高い（後述する所要Ｓ／Ｎ比以上である）、の３つの条件を満足するか否かを判断する（Ｓ３０１）。そして、これら３つの条件を全て満足すれば、通信レートが低い方の無線通信部１６に１本のアンテナ１２を接続し、高い方の無線通信部１６に７本のアンテナ１２を接続するようアンテナ切替信号を生成し、それをアンテナ切替部１４に供給する（Ｓ３０５）。一方、Ｓ３０１において条件を満足しないと判断すると、次に両無線通信部１６に係るＳ／Ｎ比の差、又は通信レートの差のいずれかが大きいか否かを判断する（Ｓ３０２）。具体的には、Ｓ／Ｎ比の差が３ｄＢ以上であれば、Ｓ／Ｎ比の差が大きいと判断する。また、一方の通信レートが他方の２倍以上であれば、通信レートの差が大きいと判断する。
【００３４】
そして、Ｓ／Ｎ比の差又は通信レートの差のいずれかが大きい場合には、一方の無線通信部１６に６本のアンテナ１２を接続し、他方の無線通信部１６に２本のアンテナ１２を接続するようアンテナ切替信号を生成し、それをアンテナ切替部１４に供給する（Ｓ３０４）。具体的には、Ｓ３０２においてＳ／Ｎ比の差が大きいと判断された場合には、大きなＳ／Ｎ比にて通信を行っている無線通信部１６に対して２本のアンテナ１２を接続し、小さなＳ／Ｎ比にて通信を行っている無線通信部１６に対して６本のアンテナ１２を接続するようアンテナ切替信号を生成し、それをアンテナ切替部１４に供給する。また、Ｓ３０２において通信レートの差が大きいと判断された場合には、高い通信レートにて通信を行っている無線通信部１６に対して６本のアンテナ１２を接続し、低い通信レートにて通信を行っている無線通信部１６に対して２本のアンテナ１２を接続するようアンテナ切替信号を生成し、それをアンテナ切替部１４に供給する。一方、Ｓ／Ｎ比の差又は通信レートの差のいずれも大きくない場合には、各無線通信部１６に対して同数のアンテナ１２を接続するようアンテナ切替信号を生成し、それをアンテナ切替部１４に供給する（Ｓ３０３）。
【００３５】
Ｓ２０５，Ｓ２０６，Ｓ２０７，Ｓ２１１，Ｓ２１２，Ｓ２１３，Ｓ３０３，Ｓ３０４，Ｓ３０５の処理を終えると、次に制御部２６は必要に応じて通信レートの変更を行う（Ｓ１０３）。すなわち、アンテナ１２の数を変更した結果、実際の通信におけるＳ／Ｎ比が所要Ｓ／Ｎ比（最低限のＳ／Ｎ比）を下回ることとなった場合には、その通信について通信レートを下げる。ここで、所要Ｓ／Ｎ比は、通信レート毎に予め定められており、所要Ｓ／Ｎ比テーブルとして記憶装置２８に予め記憶されている。図５は、この所要Ｓ／Ｎ比テーブルの一例を示している。
【００３６】
また、Ｓ２０５，Ｓ２０６，Ｓ２０７，Ｓ２１１，Ｓ２１２，Ｓ２１３，Ｓ３０３，Ｓ３０４，Ｓ３０５において、各無線通信部１６に接続すべきアンテナ１２の本数を決定する際、その本数が所要アンテナ数を超えているか否かを判断するようにすることが望ましい。そして、所要アンテナ数を超えていれば、各ステップで決定した通りに各無線通信部１６に接続するアンテナ１２の本数を決定すればよい。また、所要アンテナ数を超えていなければ、各ステップで決定した通りに各無線通信部１６に接続するアンテナ１２の本数を決定することを制限し、例えばアンテナ１２の本数の変更そのものを制限したり、アンテナ１２の本数の変更量を抑制したり、或いは各無線通信部１６に、所要アンテナ数以上のアンテナ１２が接続されるようにすればよい。
【００３７】
所要アンテナ数は、例えば次のようにして判断すればよい。すなわち、図６に示すようにアンテナ１２の現在の本数（アンテナ数（元））と、変更後の本数（切替アンテナ数）と、の組み合わせ毎に、その変更によるＳ／Ｎ比の変化量を示すテーブル（Ｓ／Ｎ比変化量テーブル）を予め記憶装置２８に記憶させておく。そして、図５に示した所要Ｓ／Ｎ比テーブルから現在の通信レートにおける所要Ｓ／Ｎ比を読み出す。さらに、各無線通信部１６に現在接続されているアンテナ１２の本数に対応するＳ／Ｎ比の変更量を、Ｓ／Ｎ比変更量テーブルから読み出す。そして、その値と現在のＳ／Ｎ比とに基づいて、各本数にアンテナ１２の本数を変更した場合のＳ／Ｎ比の予測値を算出し、それらが上記所要Ｓ／Ｎ比を上回っているか否かを判断する。そして、所要Ｓ／Ｎ比を上回るアンテナ１２の本数のうち最も小さな数を、所要アンテナ本数とすればよい。この演算は、例えば新規呼が発生する等、所定種類のイベントが発生する毎に行い、それを保持しておくようにしてもよい。
【００３８】
以上説明した通信装置１０によれば、アンテナ切替部１４を備え、制御部２６が通信レートやＳ／Ｎ比に基づいて該アンテナ切替部１４にアンテナ切替信号を供給し、自在に各無線通信部１６に接続されるアンテナ１２の数を制御できるようにしたので、アンテナ資源を有効活用し、信頼性の高い通信を実現することができる。
【００３９】
なお、本発明は上記実施形態に限定されるものではない。例えば、通信装置の構成は図１に示されるものに限らず、例えば図７に示す通信装置１０ａのように、４つの無線通信部１６ａ−１〜１６ａ−４を備え、各アンテナ１２をアンテナ切替部１４ａによっていずれかの無線通信部１６ａに接続するようにしてもよい。すなわち、本発明は、アンテナ数や無線通信部の数によらず適用可能である。
【図面の簡単な説明】
【００４０】
【図１】本発明の実施形態に係る通信装置の構成を示す図である。
【図２】本発明の実施形態に係る通信装置のアンテナ選択処理を示すフロー図である。
【図３】アンテナ切替判定処理の詳細フロー図である。
【図４】アンテナ切替判定処理の詳細フロー図である。
【図５】所要Ｓ／Ｎ比決定テーブルを示す図である。
【図６】Ｓ／Ｎ比変化量テーブルを示す図である。
【図７】本発明の他の実施形態に係る通信装置の構成を示す図である。
【図８】従来技術に係る通信装置（ＰＨＳ基地局）を示す図である。
【符号の説明】
【００４１】
１０，１０ａ  通信装置（ＰＨＳ基地局）、１２  アンテナ、１４  アンテナ切替部、１６，１６ａ  無線通信部、１８  送信部、２０  ＰＬＬ（Phase Lock Loop）回路、２２  受信部、２４  ベースバンド処理部、２６  制御部、２８  記憶装置、３０  インターフェース部。
【図１】
2006054710.tif 000003
【図２】
2006054710.tif 000004
【図３】
2006054710.tif 000005
【図４】
2006054710.tif 000006
【図５】
2006054710.tif 000007
【図６】
2006054710.tif 000008
【図７】
2006054710.tif 000009
【図８】
2006054710.tif 000010